(57)【要約】【課題】ＬＶＤＳレシーバにおける信号ラインの異常を検出することが可能な受信装置、駆動装置、画像形成装置を提供することを目的としている。【解決手段】ＬＶＤＳレシーバ１１０の非反転入力端子Ｔ１０の電圧と反転入力端子Ｔ２０の電圧との電位差が、ＬＶＤＳレシーバ１１０が正常にデータ伝送を行うことが可能な入力の電位差の範囲において最も小さい電位差未満である状態が一定時間継続した場合を、信号ラインの異常として検出する。【選択図】図３
2010213246.tif 000002
【特許請求の範囲】
【請求項１】
小振幅の差動信号を送信するドライバより送信された信号を受信する受信装置であって、
前記差動信号が入力される反転入力端子と非反転入力端子とを有する差動入力回路と、
前記反転入力端子と前記非反転入力端子とに接続された配線の異常を検出する異常検出回路と、
前記異常が検出されたとき、当該受信装置の出力信号を所定の状態とする制御回路と、を有し、
前記異常検出回路は、
前記反転入力端子の電圧と前記非反転入力端子の電圧との電位差が、予め決定された前記反転入力端子の電圧と前記非反転入力端子の電圧との電位差の範囲において最小の電位差未満である状態が所定時間以上継続した場合に前記異常を検出する受信装置。
【請求項２】
前記異常検出回路は、
前記差動入力回路の前記反転入力端子の電圧と前記非反転入力端子の電圧との電位差が前記最小の電位差未満となったとき所定の信号を出力する電位差検出回路と、
前電位差検出回路から出力された前記所定の信号を所定時間遅延させるディレイ回路と、を有する請求項１記載の受信装置。
【請求項３】
前記異常検出回路は、
前記差動入力回路の前記反転入力端子の電圧と前記非反転入力端子の電圧との電位差が前記最小の電位差以下のとき出力信号が反転する第一のコンパレータ及び第二のコンパレータと、
前記第一のコンパレータの出力信号と前記第二のコンパレータの出力信号とから生成される信号を所定時間遅延させるディレイ回路と、を有し、
前記差動入力回路の反転入力端子が、前記第一のコンパレータの反転入力端子と前記第二のコンパレータの非反転入力端子とに接続され、
前記差動入力回路の非反転入力端子が、前記第一のコンパレータの非反転入力端子と前記第二のコンパレータの反転入力端子とに接続され、
前記第一のコンパレータの出力信号と前記第二のコンパレータの出力信号とが前記所定時間以上反転しないとき、前記異常を検出する請求項１記載の受信装置。
【請求項４】
前記異常検出回路は、
前記差動入力回路の前記反転入力端子の電圧と前記非反転入力端子の電圧との電位差を検出する電位差検出回路と、
前記電位差と所定電圧とを比較する比較回路と、
前記比較回路の出力信号を所定時間遅延させるディレイ回路と、を有し、
前記所定電圧は、前記最小の電位差以下の値である請求項１記載の受信装置。
【請求項５】
前記ディレイ回路により遅延される前記所定時間は、
前記所定時間と前記異常検出回路による検出時間との合計時間が、前記差動入力回路の最低動作レートの２倍以上となる時間である請求項１ないし４の何れか一項に記載の受信装置。
【請求項６】
前記異常検出回路は、
前記異常を検出したとき、前記異常を検出したことを通知する異常通知信号を出力する請求項１ないし５の何れか一項に記載の受信装置。
【請求項７】
前記異常検出回路は、
前記異常が検出されたとき、前記差動入力回路をスタンバイ状態とする請求項１ないし６の何れか一項に記載の受信装置。
【請求項８】
ドライバから送信された小振幅の差動信号を受信して出力する受信装置からの出力信号
に基づき負荷を駆動させる駆動装置であって、
前記受信装置は、
前記差動信号が入力される反転入力端子と非反転入力端子とを有する差動入力回路と、
前記反転入力端子と前記非反転入力端子とに接続された配線の異常を検出する異常検出回路と、
前記異常が検出されたとき、当該受信装置の出力信号を所定の状態として前記負荷の駆動を停止させる制御回路と、を有し、
前記異常検出回路は、
前記反転入力端子の電圧と前記非反転入力端子の電圧との電位差が、予め決定された前記反転入力端子の電圧と前記非反転入力端子の電圧との電位差の範囲において最小の電位差未満である状態が所定時間以上継続した場合に前記異常を検出する駆動装置。
【請求項９】
帯電した感光体表面上にレーザ・ダイオードが発光するレーザ光を照射して静電潜像を形成し、前記静電潜像に付着させたトナーを記録媒体に定着させて画像形成を行う画像形成装置であって、
前記レーザ・ダイオードの発光を制御する駆動装置を有し、
前記駆動装置は、
ドライバから送信された小振幅の差動信号を受信して出力する受信装置からの出力信号に基づき前記レーザ・ダイオードを発光させ、
前記受信装置は、
前記差動信号が入力される反転入力端子と非反転入力端子とを有する差動入力回路と、
前記反転入力端子と前記非反転入力端子とに接続された配線の異常を検出する異常検出回路と、
前記異常が検出されたとき、当該受信装置の出力信号を所定の状態として前記レーザ・ダイオードの発光を停止させる制御回路と、を有し、
前記異常検出回路は、
前記反転入力端子の電圧と前記非反転入力端子の電圧との電位差が、予め決定された前記反転入力端子の電圧と前記非反転入力端子の電圧との電位差の範囲において最小の電位差未満である状態が所定時間以上継続した場合に前記異常を検出する画像形成装置。
【発明の詳細な説明】
【技術分野】
【０００１】
本発明は、小振幅の差動信号を送信するドライバより送信された信号を受信する受信装置、この受信装置を有する駆動装置、この駆動装置を有する画像形成装置に関する。
【背景技術】
【０００２】
近年、高速データの要求を満たすためのデータ伝送方式として、小振幅差動信号（ＬＶＤＳ:Low Voltage Differential Signal)方式が注目されている。ＬＶＤＳ方式は、例えばＰＰＣ（プレーン・ペーパー・コピア）やレーザ・プリンタにおいて画像処理プロセッサからレーザ・ダイオードを駆動させるレーザドライバへのデータ伝送を行う場合等に用いられる。
【０００３】
従来のＬＶＳＤ方式は、ＬＶＤＳドライバとＬＶＤＳレシーバとが接続ケーブルを介して接続されて実現される。従来のＬＶＤＳ方式において、ＬＶＤＳレシーバの入力端子の入力データの状態が不定となった場合、ＬＶＤＳレシーバの出力データも不定となる。
【０００４】
例えば上述の画像処理プロセッサとレーザドライバとの間のデータ伝送にＬＶＤＳ方式が用いられていた場合に、ＬＶＤＳレシーバの出力データが不定となった場合、レーザ・ダイオードの発光を正しく制御できない等の問題があった。
【０００５】
そこで従来のＬＶＤＳレシーバでは、入力端子に印加される入力データの状態の不定を検出する手段が考えられている。図１は、従来のＬＶＤＳレシーバの一例を示す図であり、図２は、従来のＬＶＤＳレシーバの他の例を示す図である。
【０００６】
例えば図１（Ａ）及び図１（Ｂ）に示すＬＶＤＳレシーバでは、入力端子Ａ、Ｂが断線状態となるとプルアップ抵抗Ｒｐにより入力端子Ａ、Ｂに接続された配線の電圧が電源電圧付近となる。図１（Ａ）及び図１（Ｂ）に示すＬＶＤＳレシーバでは、このとき入力端子Ａ、Ｂの断線状態を検出する。図２に示すＬＶＤＳレシーバも同様である。
【０００７】
また図１、図２に示す手段の他にも、例えば特許文献１には小振幅差動信号によりデータ伝送を行い、そのデータに基づきレーザ光を発生させる場合に問題となる事故の発生を防止する技術が記載されている。
【発明の概要】
【発明が解決しようとする課題】
【０００８】
しかしながら上記従来の技術では、２本の入力端子（反転入力端子、非反転入力端子）のうち一方の入力端子のみ断線した場合には、信号ラインの異常を検出することはできない。従来のＬＶＤＳレシーバでは、一方の入力端子のみ断線した場合には、終端抵抗によりＬＶＤＳレシーバの反転入力端子の電圧、非反転入力端子の電圧共に同電位となるからである。
【０００９】
反転入力端子の電圧、非反転入力端子の電圧共に同電位となるのは、通常プルアップ抵抗の方が終端抵抗よりも十分に抵抗値が大きいので、ＬＶＤＳドライバ側の同相入力電圧を決定している基準電圧に引きずられるためである。
【００１０】
また例えば一方の入力端子側の配線が短絡（接地もしくは電源電圧）した場合も同様に、ＬＶＤＳレシーバの反転入力端子の電圧と非反転入力端子の電圧とは、意図しない電圧レベル（接地もしくは電源電圧）で同電位となる場合がある。よって信号ラインの異常を検出することはできない。さらに反転入力端子と非反転入力端子とがショートした場合も同様に、反転入力端子の電圧と非反転入力端子の電圧とが同電位になる。よって信号ラインの異常を検出することはできない。
【００１１】
また従来のＬＶＤＳレシーバでは、ＬＶＤＳレシーバの同相入力電圧を決定している基準電圧と、ＬＶＤＳドライバ側の出力データとが別々に制御されている場合がある。この場合に、ＬＶＤＳドライバ側の出力がハイインピーダンスであり、基準電圧が正常に出力されていると、ＬＶＤＳレシーバの２本の入力端子の電圧は同電位となる。よって信号ラインの異常を検出することはできない。
【００１２】
反転入力端子の電圧と非反転入力端子の電圧とが同電位の場合、ＬＶＤＳレシーバの出力データの状態は不定となる。
【００１３】
出力データの状態が不定となると、ＬＶＤＳレシーバを用いてレーザドライバへのデータ伝送を行う場合に、ＬＶＤＳレシーバからレーザドライバへ正しくデータ伝送ができない。ＬＶＤＳレシーバから伝送されたデータで駆動される負荷が、レーザ・ダイオード等人体に被害を与える可能性がある負荷の場合には、特に信号配線の異常を検知して直ちに出力を停止する必要がある。
【００１４】
また、ＬＶＤＳドライバとＬＶＤＳレシーバとで電源が異なり、ＬＶＤＳドライバ側の電源及びＬＶＤＳドライバに内蔵される出力トランジスタの耐圧が低い場合がある。この場合にＬＶＤＳドライバの出力がハイインピーダンスになると、ＬＶＤＳレシーバの電源電圧がＬＶＤＳドライバに直接かかることになり、ＬＶＤＳドライバが破壊する虞がある。
【００１５】
本発明は、上記事情を鑑みてこれを解決すべくなされたものであり、ＬＶＤＳレシーバにおける信号ラインの異常を検出することが可能な受信装置、駆動装置、画像形成装置を提供することを目的としている。
【課題を解決するための手段】
【００１６】
本発明は、上記目的を達成するために、以下の如き構成を採用した。
【００１７】
本発明は、小振幅の差動信号を送信するドライバより送信された信号を受信する受信装置であって、前記差動信号が入力される反転入力端子と非反転入力端子とを有する差動入力回路と、前記反転入力端子と前記非反転入力端子とに接続された配線の異常を検出する異常検出回路と、前記異常が検出されたとき、当該受信装置の出力信号を所定の状態とする制御回路と、を有し、前記異常検出回路は、前記反転入力端子の電圧と前記非反転入力端子の電圧との電位差が、予め決定された前記反転入力端子の電圧と前記非反転入力端子の電圧との電位差の範囲において最小の電位差未満である状態が所定時間以上継続した場合に前記異常を検出する構成とした。
【００１８】
また本発明の受信装置において、前記異常検出回路は、前記差動入力回路の前記反転入力端子の電圧と前記非反転入力端子の電圧との電位差が前記最小の電位差未満となったとき所定の信号を出力する電位差検出回路と、前電位差検出回路から出力された前記所定の信号を所定時間遅延させるディレイ回路と、を有する構成としても良い。
【００１９】
また本発明の受信装置において、前記異常検出回路は、前記差動入力回路の前記反転入力端子の電圧と前記非反転入力端子の電圧との電位差が前記最小の電位差以下のとき出力信号が反転する第一のコンパレータ及び第二のコンパレータと、前記第一のコンパレータの出力信号と前記第二のコンパレータの出力信号とから生成される信号を所定時間遅延させるディレイ回路と、を有し、前記差動入力回路の反転入力端子が、前記第一のコンパレータの反転入力端子と前記第二のコンパレータの非反転入力端子とに接続され、前記差動入力回路の非反転入力端子が、前記第一のコンパレータの非反転入力端子と前記第二のコンパレータの反転入力端子とに接続され、前記第一のコンパレータの出力信号と前記第二のコンパレータの出力信号とが前記所定時間以上反転しないとき、前記異常を検出する構成としても良い。
【００２０】
また本発明の受信装置において、前記異常検出回路は、前記差動入力回路の前記反転入力端子の電圧と前記非反転入力端子の電圧との電位差を検出する電位差検出回路と、前記電位差と所定電圧とを比較する比較回路と、前記比較回路の出力信号を所定時間遅延させるディレイ回路と、を有し、前記所定電圧は、前記最小の電位差以下の値である構成としても良い。
【００２１】
また本発明の受信装置において、前記ディレイ回路により遅延される前記所定時間は、前記所定時間と前記異常検出回路による検出時間との合計時間が、前記差動入力回路の最低動作レートの２倍以上となる時間であっても良い。
【００２２】
また本発明の受信装置において、前記異常検出回路は、前記異常を検出したとき、前記異常を検出したことを通知する異常通知信号を出力する構成であっても良い。
【００２３】
また本発明の受信装置において、前記異常検出回路は、前記異常が検出されたとき、前記差動入力回路をスタンバイ状態とする構成であっても良い。
【００２４】
本発明は、ドライバから送信された小振幅の差動信号を受信して出力する受信装置からの出力信号に基づき負荷を駆動させる駆動装置であって、前記受信装置は、前記差動信号が入力される反転入力端子と非反転入力端子とを有する差動入力回路と、前記反転入力端子と前記非反転入力端子とに接続された配線の異常を検出する異常検出回路と、前記異常が検出されたとき、当該受信装置の出力信号を所定の状態として前記負荷の駆動を停止させる制御回路と、を有し、前記異常検出回路は、前記反転入力端子の電圧と前記非反転入力端子の電圧との電位差が、予め決定された前記反転入力端子の電圧と前記非反転入力端子の電圧との電位差の範囲において最小の電位差未満である状態が所定時間以上継続した場合に前記異常を検出する構成とした。
【００２５】
本発明は、帯電した感光体表面上にレーザ・ダイオードが発光するレーザ光を照射して静電潜像を形成し、前記静電潜像に付着させたトナーを記録媒体に定着させて画像形成を行う画像形成装置であって、前記レーザ・ダイオードの発光を制御する駆動装置を有し、前記駆動装置は、ドライバから送信された小振幅の差動信号を受信して出力する受信装置からの出力信号に基づき前記レーザ・ダイオードを発光させ、前記受信装置は、前記差動信号が入力される反転入力端子と非反転入力端子とを有する差動入力回路と、前記反転入力端子と前記非反転入力端子とに接続された配線の異常を検出する異常検出回路と、前記異常が検出されたとき、当該受信装置の出力信号を所定の状態として前記レーザ・ダイオードの発光を停止させる制御回路と、を有し、前記異常検出回路は、前記反転入力端子の電圧と前記非反転入力端子の電圧との電位差が、予め決定された前記反転入力端子の電圧と前記非反転入力端子の電圧との電位差の範囲において最小の電位差未満である状態が所定時間以上継続した場合に前記異常を検出する構成とした。
【発明の効果】
【００２６】
本発明によれば、ＬＶＤＳレシーバにおける信号ラインの異常を検出することができる。
【図面の簡単な説明】
【００２７】
【図１】従来のＬＶＤＳレシーバの一例を示す図である。
【図２】従来のＬＶＤＳレシーバの他の例を示す図である。
【図３】第一の実施形態の受信装置１００を説明するための図である。
【図４】第二の実施形態の受信装置１００Ａを説明するための図である。
【図５】第三の実施形態の受信装置１００Ｂを説明するための図である。
【図６】差分検出回路１４０と比較回路１５０とを説明するための図である。
【図７】第四の実施形態の駆動装置３００を説明するための図である。
【図８】第五の実施形態の画像形成装置４００を説明するための図である。
【発明を実施するための形態】
【００２８】
本発明では、ＬＶＤＳレシーバの反転入力端子の電圧と非反転入力端子の電圧との電位差が、ＬＶＤＳレシーバが正常にデータ伝送を行うことが可能な電位差の範囲において最も小さい電位差未満である状態が一定時間継続した場合を、信号ラインの異常として検出する。
（第一の実施形態）
以下に図面を参照して本発明の第一の実施形態について説明する。図３は、第一の実施形態の受信装置１００を説明するための図である。
【００２９】
本実施形態の受信装置１００は、ＬＶＤＳレシーバ１１０と、異常検出回路１２０と、アンド回路１３０と、終端抵抗Ｒｔとを有する。
【００３０】
ＬＶＤＳレシーバ１１０は、２つの差動入力端子Ｔ１０、Ｔ２０を有する差動入力回路であり、図示しない接続ケーブルを介してＬＶＤＳドライバ２００と接続されている。ＬＶＤＳレシーバ１１０は、差動入力端子Ｔ１０、Ｔ２０間に与えられた差動電圧信号（以下、入力データ）Ｄａ、Ｄｂに応じたロジック信号を出力する。尚入力データＤｂは、入力データＤａの逆相の信号である。差動入力端子Ｔ１０と差動入力端子Ｔ２０との間には、終端抵抗Ｒｔが接続されている。
【００３１】
異常検出回路１２０は、ＬＶＤＳレシーバ１１０の入力データＤａ、Ｄｂに基づき信号ラインの異常を検出する。本実施形態の異常検出回路１２０は、電位差検出回路１２１、ディレイ回路１２２を有する。
【００３２】
電位差検出回路１２１の入力には、ＬＶＤＳレシーバ１１０の非反転入力端子Ｔ１０と反転入力端子Ｔ２０とが接続されており、非反転入力端子Ｔ１０の電圧と反転入力端子Ｔ２０の電圧の電位差（以下、入力電位差）を検出する。電位差検出回路１２１は、入力電位差が所定値未満になると、入力電位差が規格最小電位差未満であることを示す信号をディレイ回路１２２へ出力する。本実施形態の電位差検出回路１２１は、入力電位差が規格最小電位差未満である場合にハイレベル（以下、Ｈレベル）の信号を出力するものとした。
【００３３】
尚規格最小電位差とは、ＬＶＤＳレシーバ１１０が正常にデータ伝送を行うことが可能な入力電位差の範囲において最も小さい電位差であり、予めＬＶＤＳレシーバ１１０の仕様に対応した規格により決められた値である。
【００３４】
ディレイ回路１２２は、電位差検出回路１２１からのＨレベルの信号が所定の遅延時間継続して入力されると、Ｈレベルの信号をアンド回路１３０へ出力する。尚本実施形態では、ディレイ回路１２２に設定される遅延時間と、電位差検出回路１２１による電位差検出遅延時間との合計時間が、ＬＶＤＳレシーバ１１０の最低動作転送レートの２倍以上であることが好ましい。
【００３５】
アンド回路１３０は、異常検出回路１２０により信号ラインの異常が検出されると、受信装置１００の出力信号をローレベル（以下Ｌレベル）に固定する。アンド回路１３０では、ディレイ回路１２２から出力されたＨレベルの信号がＬレベルの信号に反転されて一方の入力端子Ｔ２１に入力される。この場合アンド回路１３０の出力信号はＬレベルに固定される。したがって受信装置１００の出力信号はＬレベルに固定される。
【００３６】
すなわち本実施形態の受信装置１００では、入力電位差が規格最小電位差未満となり所定時間経過すると、差動入力端子Ｔ１０、Ｔ２０と接続された信号ラインに異常が発生したものする。そして本実施形態の受信装置１００は、出力信号をＬレベルに固定する。
【００３７】
このため、例えば受信装置１００の出力信号がレーザドライバ等に供給される場合に、信号ラインの異常を検出するとレーザドライバ等の動作を停止させることができる。
【００３８】
尚本実施形態において、入力電位差が規格最小電位差以上である場合は、アンド回路１３０の入力端子Ｔ２１へは常にＬレベルの信号が供給される。アンド回路１３０の他方の入力端子Ｔ１１は、ＬＶＤＳレシーバ１１０の出力信号が入力されている。ＬＶＤＳレシーバ１１０の出力信号は、入力データＤａと入力データＤｂとにより決定されるため、受信装置１００の出力信号が異常検出回路１２０の影響を受けることはない。
【００３９】
また本実施形態のディレイ回路１２２は、電位差検出回路１２１からのＨレベルの信号が所定時間継続して入力されると、信号ラインの異常を通知する異常通知信号を外部へ出力しても良い。外部とは、例えば本実施形態の受信装置１００が搭載されている本体装置の制御手段等であっても良い。ディレイ回路１２２にＨレベルの信号が入力されてから異常通知信号が出力されるまでの所定時間は、例えばディレイ回路１２２に設定された遅延時間であっても良いし、予め別途設定されていても良い。
【００４０】
以上に説明したように、本実施形態では、ＬＶＤＳレシーバ１１０の差動入力端子Ｔ１０と差動入力端子Ｔ２０とに入力される入力データＤａと入力データＤｂの電位差に基づき異常を検出している。よって本実施形態では、例えば差動入力端子Ｔ１０、Ｔ２０のうち何れか一方のみが断線状態となった場合にも信号ラインの異常を検出することができる。
【００４１】
（第二の実施形態）
以下に図面を参照して本発明の第二の実施形態について説明する。本発明の第二の実施形態は、異常検出回路の構成が第一の実施形態と相違する。よって以下の第二の実施形態の説明では、第一の実施形態との相違点についてのみ説明し、第一の実施形態と同様の機能構成を有するものには第一の実施形態の説明で用いた符号と同様の符号を付与し、その説明を省略する。
【００４２】
図４は、第二の実施形態の受信装置１００Ａを説明するための図である。本実施形態の異常検出回路１２０Ａは、ディレイ回路１２２、コンパレータ１２３、１２４、アンド回路１２５を有する。
【００４３】
コンパレータ１２３、１２４は、オフセット付きコンパレータである。コンパレータ１２３、１２４のオフセット電圧をαとした場合、コンパレータ１２３、１２４は、非反転入力端子電圧＋α＝反転入力端子電圧となったときに出力信号が反転する。
【００４４】
本実施形態のコンパレータ１２３、１２４は、オフセット電圧αが規格最小電位差の値と等しいコンパレータとした。
【００４５】
コンパレータ１２３の非反転入力端子Ｔ３１は、ＬＶＤＳレシーバ１１０の非反転入力端子Ｔ１０と接続されており、入力データＤａが入力される。コンパレータ１２３の反転入力端子Ｔ３２は、ＬＶＤＳレシーバ１１０の反転入力端子Ｔ２０と接続されており、入力データＤｂが入力される。コンパレータ１２３の出力は、アンド回路１２５の一方の入力端子Ｔ５１と接続されている。
【００４６】
コンパレータ１２４の非反転入力端子Ｔ４１は、ＬＶＤＳレシーバ１１０の反転入力端子Ｔ２０と接続されており、入力データＤｂが入力される。コンパレータ１２４の反転入力端子Ｔ４２は、ＬＶＤＳレシーバ１１０の非反転入力端子Ｔ１０と接続されており、入力データＤが入力される。コンパレータ１２４の出力は、アンド回路１２５の他方の入力端子Ｔ５２と接続されている。アンド回路１２５の出力は、ディレイ回路１２２へ供給される。
【００４７】
また本実施形態のＬＶＤＳレシーバ１１０は、同相入力電圧範囲を決定するための基準電圧がＬＶＤＳドライバ２００側の基準電圧源２１０により生成されている。同相入力電圧範囲とは、ＬＶＤＳレシーバ１１０を正常に動作させる入力電圧の範囲である。
【００４８】
以下に本実施形態の異常検出回路１２０Ａの動作を説明する。
【００４９】
本実施形態において、コンパレータ１２３、１２４は、入力電位差がオフセット電圧α以下の場合に出力が反転する。本実施形態のコンパレータ１２３、１２４は、入力電位差がオフセット電圧αより大きい場合にＬレベルの信号を出力し、入力電位差がオフセット電圧α以下の場合にＨレベルの信号を出力するものとした。よって本実施形態のコンパレータ１２３、１２４は、入力電位差がオフセット電圧α以下となると、Ｈレベルの信号を出力する。
【００５０】
アンド回路１２５の入力端子Ｔ５１、Ｔ５２にはＨレベルの信号が入力されるため、アンド回路１２５の出力はＨレベルに固定される。このＨレベルの信号はディレイ回路１２２に入力される。ディレイ回路１２２において、所定の遅延時間Ｈレベルの入力が継続すると、Ｈレベルの信号はアンド回路１３０へ出力される。アンド回路１３０では、Ｈレベルの信号が反転されて入力端子Ｔ２１に入力される。
【００５１】
本実施形態において、アンド回路１２５からＨレベルの信号が出力される場合は、コンパレータ１２３の出力とコンパレータ１２４の出力とがＨレベルとなったときである。よって本実施形態では、コンパレータ１２３の出力とコンパレータ１２４の出力とが共に所定の遅延時間以上Ｈレベルであるときに、信号ラインの異常を検出する。
【００５２】
また本実施形態のディレイ回路１２２は、アンド回路１２５からのＨレベルの信号の供給が所定の遅延時間以上継続した場合、ＬＶＤＳレシーバ１１０へスリープ信号を供給し、ＬＶＤＳレシーバ１１０をスタンバイ状態としても良い。信号ラインの異常を検出したときにＬＶＤＳレシーバ１１０をスタンバイ状態とすれば、ＬＶＤＳレシーバ１１０の消費電流を低減させることができる。また同相入力によるチャタリングノイズを防止することができる。本来ＬＶＤＳレシーバは同相入力されるとディジタル的には出力不定となる。理想的には中間電位が出力されるからである。しかし、同相入力状態であっても実機においては、微小な(数ｍＶレベル)ノイズがＬＶＤＳレシーバ入力や出力に継続的にのり、ノイズの度に出力がＨｉかＬｏを繰り返す状態が断続的に続く状態を、同相入力によるチャタリングとする。
【００５３】
尚本実施形態では、アンド回路１２５により生成される、コンパレータ１２３の出力信号とコンパレータ１２４の出力信号との論理積である信号がディレイ回路１２２に入力される構成としたが、これに限定されない。例えば本実施形態では、コンパレータ１２３、１２４を繋ぎかえてコンパレータ１２３の出力信号とコンパレータ１２４の出力信号との論理和である信号又は排他的論理和である信号がディレイ回路１２２へ入力されても良い。
【００５４】
（第三の実施形態）
以下に本発明の第三の実施形態について説明する。本発明の第三の実施形態は、異常検出回路の構成が第一の実施形態と相違する。よって以下の第三の実施形態の説明では、第一の実施形態との相違点についてのみ説明し、第一の実施形態と同様の機能構成を有するものには第一の実施形態の説明で用いた符号と同様の符号を付与し、その説明を省略する。
【００５５】
図５は、第三の実施形態の受信装置１００Ｂを説明するための図である。本実施形態の受信装置１００Ｂにおいて、異常検出回路１２０Ｂは、差分検出回路１４０、比較回路１５０、ディレイ回路１２２を有する。
【００５６】
本実施形態の差分検出回路１４０には、入力データＤａと入力データＤｂとが入力されており、入力電位差を検出する。比較回路１５０は、差分検出回路１４０により検出された入力電位差と後述するオフセット電圧α１とを比較する。
【００５７】
本実施形態の受信装置１００Ｂでは、入力電位差がオフセット電圧α１以下であったとき、信号ラインの異常を検出する。すなわち比較回路１５０からＨレベルの信号がディレイ回路１２２へ出力される。ディレイ回路１２２は、比較回路１５０から所定の遅延時間以上継続してＨレベルの信号が供給されると、Ｈレベルの信号を出力する。ディレイ回路１２２から出力されたＨレベルの信号は、反転されてアンド回路１３０の入力端子Ｔ２１へ入力される。
【００５８】
以下に図６を参照して本実施形態の差分検出回路１４０と比較回路１５０とを説明する。図６は、差分検出回路１４０と比較回路１５０とを説明するための図である。
【００５９】
本実施形態の差分検出回路１４０は、アンプ１４１、抵抗Ｒ１〜抵抗Ｒ４、基準電圧ＶＲＥＦを生成する基準電圧源１４２により構成されている。
【００６０】
アンプ１４１の非反転入力端子Ｔ１４１は、抵抗Ｒ１を介してＬＶＤＳレシーバ１１０の差動入力端子Ｔ１０と接続されており、入力データＤａが入力される。またアンプ１４１の非反転入力端子Ｔ１４１は、抵抗Ｒ３を介してアンプ１４１の出力端子Ｔ１４３と接続されている。
【００６１】
アンプ１４１の反転入力端子Ｔ１４２は、抵抗Ｒ２を介してＬＶＤＳレシーバ１１０の差動入力端子Ｔ２０と接続されており、入力データＤｂが入力される。またアンプ１４１の反転入力端子Ｔ１４２は、抵抗Ｒ４と基準電圧源１４２とを介して接地されている。
【００６２】
本実施形態の比較回路１５０は、コンパレータ１５１、１５２、ＸＯＲ回路１５３、基準電圧源１５４、１５５を有する。
【００６３】
コンパレータ１５１の非反転入力端子Ｔ１５１とコンパレータ１５２の非反転入力端子Ｔ１５３とは、アンプ１４１の出力端子Ｔ１４３と接続されている。コンパレータ１５１の反転入力端子Ｔ１５２は、基準電圧源１５４を介して接地されている。コンパレータ１５２の反転入力端子Ｔ１５４は、基準電圧源１５５を介して接地されている。
【００６４】
コンパレータ１５１の出力は、ＸＯＲ回路１５３の入力端子Ｔ１５５と接続されている。コンパレータ１５２の出力は、ＸＯＲ回路１５３の入力端子Ｔ１５６と接続されている。ＸＯＲ回路１５３の出力は、ディレイ回路１２２へ供給される。
【００６５】
本実施形態のコンパレータ１５１、１５２は、オフセット電圧が等しいコンパレータとした。本実施形態では、コンパレータ１５１、１５２のオフセット電圧をα１とした。
【００６６】
基準電圧源１５４は、所定の基準電圧ＶＲＥＦにコンパレータ１５１のオフセット電圧α１を加算した電圧を生成する。基準電圧源１５５は、所定の基準電圧ＶＲＥＦからコンパレータ１５２のオフセット電圧α１を減算した電圧を生成する。
【００６７】
本実施形態において、入力データＤａの電圧を電圧Ｖａとし入力データＤｂの電圧を電圧Ｖｂとした場合、差分検出回路１４０では、電圧Ｖａと電圧Ｖｂとの引き算を行う。引き算（Ｖａ−Ｖｂ）の結果が負の値となった場合、負電源がないと引き算結果が０Ｖとなってしまう。そこで本実施形態では、比較回路１５０の基準電圧源１５４において基準電圧ＶＲＥＦをオフセット電圧α１へ加算している。また比較回路１５０の基準電圧源１５５において基準電圧ＶＲＥＦからオフセット電圧α１を減算している。
【００６８】
本実施形態の差分検出回路１４０において、アンプ１４１の非反転入力端子Ｔ１４１の電圧及び反転入力端子Ｔ１４２の電圧（点Ａの電圧）は、（ＶＲＥＦ＋Ｖｂ）／２となる。またアンプ１４１の出力端子Ｔ１４３の電圧（点Ｂの電圧）は、［Ｖａ−｛Ｖａ−（ＶＲＥＦ＋Ｖｂ）／２｝×２＝Ｖｂ−Ｖａ＋ＶＲＥＦ］となる。
【００６９】
ここで比較回路１５０の出力がＨレベルとなる場合を考える。
【００７０】
比較回路１５０の出力をＨレベルとするためには、ＸＯＲ回路１５３の出力をＨレベルにすれば良い。よってコンパレータ１５１の出力又はコンパレータ１５２の出力の何れか一方がＨレベルとなれば良い。
【００７１】
本実施形態では、（ＶＲＥＦ−α１≦Ｖｂ−Ｖａ＋ＶＲＥＦ≦ＶＲＥＦ＋α１）の条件を満たせば、コンパレータ１５１の出力又はコンパレータ１５２の出力の何れかがＨレベルになる。上記条件は、（−α１≦Ｖｂ−Ｖａ≦α１）と示すことができる。さらのこの条件は、（Ｖｂ−Ｖａ）≦｜α１｜と置き換えることができる。
【００７２】
よって本実施形態では、入力電位差がコンパレータ１５１、１５２のオフセット電圧α１以下である場合に信号ラインに異常があると判断される。
【００７３】
尚本実施形態の抵抗Ｒ１〜抵抗Ｒ４は、ＬＶＤＳレシーバ１１０の動作に影響を与えないように、終点抵抗Ｒｔの抵抗値よりも十分抵抗値が大きい抵抗であることが好ましい。
【００７４】
（第四の実施形態）
以下に図面を参照して本発明の第四の実施形態について説明する。本発明の第四の実施形態は、ＬＶＤＳ受信装置を有する駆動回路である。以下の本実施形態の説明では、第二の実施形態の受信装置１００Ａを有する駆動装置の例を説明する。尚以下の第四の実施形態の説明において、第二の実施形態と同様の機能構成を有するものには第二の実施形態の説明で用いた符号と同様の符号を付与し、その説明を省略する。
【００７５】
図７は、第四の実施形態の駆動装置３００を説明するための図である。
【００７６】
本実施形態の駆動装置３００は、受信装置１００Ａ、ＬＶＤＳドライバ２００、画像プロセッサ３１０、スイッチ部３２０を有しており、駆動装置３００の負荷としてＬＤ（laser diode）３３０がスイッチ部３２０と接続されている。
【００７７】
本実施形態の駆動装置３００では、画像プロセッサ３１０から出力される画像データをＬＶＤＳドライバ２００により受信装置１００Ａへ伝送する。受信装置１００Ａは、伝送された画像データにしたがってスイッチ部３２０をオン／オフさせる。スイッチ部３２０は、受信装置１００Ａからの出力信号に基づきオン／オフさせる。本実施形態のスイッチ部３２０は、Ｈレベルの信号でオンされ、Ｌレベルの信号でオフされる。
【００７８】
本実施形態の駆動装置では、ＬＶＤＳドライバ２００と受信装置１００Ａとの間の信号ラインに異常が検出された場合、受信装置１００の出力信号はＬレベルで固定される。よって本実施形態では、信号ラインに異常が検出された場合はスイッチ部３２０がオフされて、ＬＤ３３０を消灯させる。
【００７９】
このように本実施形態の駆動装置３００では、ＬＶＤＳドライバ２００と受信装置１００ＡとによりＬＶＤＳ方式でデータが伝送される装置において、ＬＶＤＳドライバ２００と受信装置１００Ａとの間の信号ラインの異常を検出する。そして信号ラインの異常を検出した場合、駆動装置３００に接続された負荷の駆動を停止させる。
【００８０】
尚本実施形態では、受信装置１００Ａを適用した形態を説明したが、第一の実施形態で説明した受信装置１００、第三の実施形態で説明した受信装置１００Ｂを本実施形態の駆動装置３００に適用することもできる。
【００８１】
（第五の実施形態）
以下に本発明の第五の実施形態について説明する。本発明の第五の実施形態は、第四の実施形態の駆動装置３００が画像形成装置に搭載された形態である。
【００８２】
図８は、第五の実施形態の画像形成装置４００を説明するための図である。
【００８３】
本実施形態の画像形成装置４００は、ＬＤのレーザ光を用いて画像形成を行う。画像形成装置４００は、入力部４１０、画像処理部４２０、出力部４３０を有する。入力部４１０は、例えばスキャン装置等の画像読取装置であっても良い。または入力部４１０は、画像形成装置４００が接続された情報処理装置等からネットワークを介して画像データを取得するためのインターフェイス装置であっても良い。
【００８４】
画像処理部４１０は、入力部４１０から入力された画像データを出力部４３０による出力が可能なデータとする画像処理を行う。また画像処理部４１０は、第四の実施形態で説明した駆動装置３００を有する。画像処理部４１０において、画像データは駆動装置３００の画像プロセッサ３１０に入力され、画像処理が行われる。画像処理が行われた後の画像データは、ＬＶＤＳドライバ２００、受信装置１００ＡによりＬＶＤＳ方式で伝送され、出力部４３０へ出力される。
【００８５】
出力部４３０は、印刷用紙等の記録媒体へ画像形成を行うための光学系４３１を含む。また出力部４３０は、光学系４３１の他にも画像形成を行うために必要な各種構成を含む。例えば出力部４３０は、予め帯電させた感光体に対し、画像形成部分に光学系４３１に含まれるＬＤ３３０のレーザ光を照射し、感光体表面の画像形成部分を除電する。さらに出力部４３０は、感光体にトナーを吸着させ、レーザ光により除電された部分に付着したトナーを記録媒体に熱定着させて画像形成を行う。
【００８６】
本実施形態の画像形成装置４００では、駆動装置３００を有することにより、画像データの伝送経路である信号ラインに異常が検出された場合に、ＬＤ３３０からのレーザ光の照射を停止させることができる。
【００８７】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【先行技術文献】
【特許文献】
【００８８】
【特許文献１】特許第３７９８５７１号公報
【図１】
2010213246.tif 000003
【図２】
2010213246.tif 000004
【図３】
2010213246.tif 000005
【図４】
2010213246.tif 000006
【図５】
2010213246.tif 000007
【図６】
2010213246.tif 000008
【図７】
2010213246.tif 000009
【図８】
2010213246.tif 000010